【手続補正書】
【提出日】平成22年12月2日(2010.12.2)
【手続補正１】
【補正対象書類名】特許請求の範囲
【補正対象項目名】全文
【補正方法】変更
【補正の内容】
【特許請求の範囲】
【請求項１】
太陽電池であって、
複数の正極性の金属接触指であって、該正極性の金属接触指の各々が、前記太陽電池の背面にある１つ以上のＰ型拡散領域に結合され、前記太陽電池の正面が、太陽放射を収集するための通常の動作中太陽に面する、複数の正極性の金属接触指と、
複数の負極性の金属接触指であって、該負極性の金属接触指の各々が、前記太陽電池の背面にある１つ以上のＮ型拡散領域に結合され、前記負極性の金属接触指は、前記正極性の金属接触指と相互にかみ合わせられる、複数の負極性の金属接触指と、
接触面を提供する第１のはんだパッドであって、該接触面に外部リード線をはんだ付けして前記負極性の金属接触指に電気的に接続することができ、前記負極性の金属接触指は、少なくとも３つの金属接触指を含み、該負極性の金属接触指の端部が、前記第１のはんだパッドを向き、かつ、前記端部が全体で、該第１のはんだパッドの少なくとも３つの側を囲み、かつ前記第１のはんだパッドの周囲の全体ではないが少なくとも５０％を囲むように配置される、第１のはんだパッドと
を備える太陽電池。
【請求項２】
接触面を提供する第２のはんだパッドをさらに備える請求項１の太陽電池であって、外部リード線を、前記接触面にはんだ付けして、前記第１のはんだパッドが配置されている場所と反対側の前記太陽電池のエッジ部にある前記正極性の金属接触指に電気的に接続することができる太陽電池。
【請求項３】
前記負極性の金属接触指のうちの１つの幅の２倍より大きな幅を有し、かつ、前記第１のはんだパッドに通じて、該第１のはんだパッドにおいて終端する金属接触指またはバスバーがない、請求項１の太陽電池。
【請求項４】
前記負極性の金属接触指は、前記第１のはんだパッドにおいて終端する、請求項１の太陽電池。
【請求項５】
前記負極性の金属接触指の少なくとも２つが、前記第１のはんだパッドにおいて終端する別の金属接触指を共有する、請求項１の太陽電池。
【請求項６】
太陽電池であって、
複数の正極性の金属接触指であって、該正極性の金属接触指の各々が、前記太陽電池の背面にある１つ以上のＰ型拡散領域に結合され、前記太陽電池の正面が、太陽放射を収集するための通常の動作の間太陽に面する、複数の正極性の金属接触指と、
複数の負極性の金属接触指であって、該負極性の金属接触指の各々が、前記太陽電池の背面にある１つ以上のＮ型拡散領域に結合され、前記負極性の金属接触指は、前記正極性の金属接触指と相互にかみ合わせられる、複数の負極性の金属接触指と、
前記負極性の金属接触指には電気的に接続されるが、前記正極性の金属接触指には電気的に接続されない第１のはんだパッドであって、前記負極性の金属接触指は、少なくとも３つの金属接触指を含み、かつ前記第１のはんだパッドの方を向く端部を有し、前記負極性の金属接触指は全体で、該第１のはんだパッドの周囲の全体ではないが少なくとも５０％を覆う、第１のはんだパッドと
を備える太陽電池。
【請求項７】
前記正極性の金属接触指には電気的に接続されるが、前記負極性の金属接触指には電気的に接続されない第２のはんだパッドをさらに備え、前記負極性の金属接触指は、前記第１のはんだパッドが配置されている場所と反対側の前記太陽電池のエッジ部にある、請求項６の太陽電池。
【請求項８】
前記負極性の金属接触指のうちの１つの幅の２倍より大きな幅を有し、かつ、前記第１のはんだパッドに通じて、該第１のはんだパッドにおいて終端する金属接触指またはバスバーがない、請求項６の太陽電池。
【請求項９】
前記負極性の金属接触指は、前記第１のはんだパッドにおいて終端する、請求項６の太陽電池。
【請求項１０】
前記負極性の金属接触指の少なくとも２つが、前記第１のはんだパッドを向き、かつ、該第１のはんだパッドにおいて終端する別の金属接触指を共有する、請求項６の太陽電池。
【請求項１１】
太陽電池であって、
第１の組をなす金属接触指であって、該第１の組における金属接触指の各々が、前記太陽電池の背面にある第１の極性の１つ以上の拡散領域に電気的に結合される、第１の組をなす金属接触指と、
第２の組をなす金属接触指であって、該第２の組における金属接触指の各々が、前記太陽電池の背面にある前記第１の極性とは逆の第２の極性の１つ以上の拡散領域に電気的に結合される、第２の組をなす金属接触指と、
前記第１の組をなす金属接触指には電気的に結合されるが、前記第２の組をなす金属接触指には電気的に結合されない第１のはんだパッドであって、前記第１の組をなす金属接触指は、少なくとも３つの金属接触指を含み、前記第１のはんだパッドの周囲の全体ではないが少なくとも５０％を囲むべく、前記第１のはんだパッドの少なくとも対向する端部において前記第１のはんだパッドに向かって曲がるように構成される、第１のはんだパッドと
を備える太陽電池。
【請求項１２】
前記第２の組をなす金属接触指には電気的に結合されるが、前記第１の組をなす金属接触指には電気的に結合されない第２のはんだパッドをさらに備え、前記第２の組をなす金属接触指は、前記第２のはんだパッドに向かって曲がるように構成される、請求項１１の太陽電池。
【請求項１３】
前記第１の極性が負極性であり、前記第２の極性が正極性である、請求項１１の太陽電池。
【請求項１４】
前記第２の組をなす金属接触指は９０°の角度で曲がる、請求項１２の太陽電池。
【手続補正２】
【補正対象書類名】明細書
【補正対象項目名】００２５
【補正方法】変更
【補正の内容】
【００２５】
改良された太陽電池の接触指及びはんだパッド構成を開示した。本発明の特定の実施形態を提示したが、それらの実施形態は説明のためのものであって限定するものではないことが理解されよう。本開示を読むことによって当業者には多くの追加の実施形態が明らかになろう。
（項目１）
太陽電池に接触構造を配置する方法であって、
複数の負極性の金属接触部と複数の正極性の金属接触部とを相互にかみ合わせるステップであって、上記負極性の金属接触部は、太陽電池の背面にあるＮ型拡散領域に電気的に接続され、上記正極性の金属接触部は、上記太陽電池の背面にあるＰ型拡散領域に電気的に接続され、上記太陽電池は、通常動作の間、太陽に面する正面を有する、ステップと、
上記負極性の金属接触部の端部が、第１のはんだパッドの方を向き、かつ、上記端部が全体で、上記第１のはんだパッドの周囲の少なくとも５０％を囲むように、上記負極性の金属接触部を配置するステップであって、上記第１のはんだパッドは、上記負極性の金属接触部には電気的に接続されるが、上記正極性の金属接触部には電気的に接続されない、ステップを含む方法。
（項目２）
上記正極性の金属接触部の端部が、第２のはんだパッドの方を向き、かつ、該端部が全体で、上記第２のはんだパッドの周囲の少なくとも５０％をおおうように、上記正極性の金属接触部を配置するステップであって、上記第２のはんだパッドは、上記正極性の金属接触部には電気的に接続されるが、上記負極性の金属接触部には電気的に接続されない、ステップをさらに含む、項目１の方法。
（項目３）
上記負極性の金属接触指のうちの１つの幅の２倍より大きな幅を有し、かつ、上記第１のはんだパッドに通じて、該第１のはんだパッドにおいて終端する金属接触部またはバスバーがない、項目１の方法。
（項目４）
上記負極性の金属接触部は、上記第１のはんだパッドにおいて終端する、項目１の方法。
（項目５）
上記負極性の金属接触部は、上記第１のはんだパッドの方を向き、かつ、該負極性の金属接触部全体で、該第１のはんだパッドの周囲の３つの側を囲む、項目１の方法。
（項目６）
上記負極性の金属接触部は、上記第１のはんだパッドの方を向き、かつ、該負極性の金属接触部全体で、該第１のはんだパッドの周囲の７５％を囲む、項目１の方法。